(57)【要約】【課題】  搬送のばらつきによる画像劣化や、半乾きの修正液やボールペンのインクよるスジ画像の発生や、読み取り装置内へステイプルの針やクリップ等の異物の落下を防止すること。【解決手段】  シートガイドにスリットを有する原稿搬送装置と読み取りユニットの間にシャッターを設け、シャッターの一部を透明部材で形成し、画像読み取りユニットの移動に連動しシャッターが移動するように構成し、画像読み取りユニットの流し読み取り部への移動時には、流し読み取り部にシャッターの透明部が移動し、画像読み取りユニットの退避部への移動時には、流し読み取り部へシャッターの透明部以外が移動することを特徴とする。【選択図】        図４
2006140577.tif 000002
【特許請求の範囲】
【請求項１】
シートを所定の読み取り位置へと搬送する搬送ローラと、所定の読み取り位置までシートをガイドする第１のガイド部材と、所定の読み取り位置を通過したシートをガイドする第２のガイド部材を有し、第１ガイド部材と第２ガイド部材を、所定の読み取り位置上の主走査方向に対し、所定幅のスリットを形成するように設けた原稿搬送装置と、
所定の位置へ搬送されたシートの画像を搬送中に読み取る流し読み取り部と、流し読み取り部と退避部間を移動可能な画像読み取りユニットを有する画像読み取り装置において、
読み取りユニットと原稿搬送装置の間にシャッターを設け、少なくともシャッターの一部を透明部材で形成し、画像読み取りユニットの移動に連動しシャッターが移動するように構成し、画像読み取りユニットの流し読み取り部への移動時には、流し読み取り部にシャッターの透明部が移動し、画像読み取りユニットの退避部への移動時には、流し読み取り部へシャッターの透明部以外が移動することを特徴とする画像読み取り装置。
【請求項２】
白色基準板によるシェーディング補正を行う画像読み取り校正部と、原稿台ガラス上に固定された原稿を該画像読み取りユニットの移動により画像読み取りを行う固定読み取り部を該退避部に設け、画像読み取りユニットの校正部への移動に伴い、シャッターの透明部も校正部へ移動することを特徴とする請求項１記載の画像読み取り装置。
【請求項３】
シャッターを原稿台ガラス方向に付勢する付勢手段と、シャッターに設けられた突起部と、読み取りユニットに設けられた爪部とから構成され、画像読み取りユニットが流し読み取り部に移動したとき、突起部と爪部が係合し、シャッターを原稿台ガラスとは反対方向に押し込むことでシャッターが移動し、流し読み取り部にシャッターの透明部が移動し、画像読み取りユニットが退避部に移動したとき、突起部と爪部が離れてシャッターは付勢部材により原稿台ガラス方向へ押され、流し読み取り部へシャッターの透明部以外が移動することを特徴とする請求項１記載の画像読み取り装置。
【請求項４】
流し読み取り部と固定読み取り部の間に清掃具を設け、シャッターの移動に伴い透明部材を清掃できるよう清掃具を配置したことを特徴とする請求項１記載の画像読み取り装置。
【請求項５】
流し読み取り部の端部に磁束発生手段を設け、シャッターの移動に伴い磁性体を回収する磁性体回収手段を配置したことを特徴とする請求項１記載の画像読み取り装置。
【発明の詳細な説明】
【技術分野】
【０００１】
本発明は、例えば、スキャナー、複写機、プリンター、あるいは、ファクシミリ装置などの、画像が載ったシート材（原稿）の画像を読み取る画像読み取り装置に関する。
【背景技術】
【０００２】
従来、デジタル複写機、プリンター、ファクシミリ等に設けられた画像読み取り装置には、シートである原稿を画像読み取り装置に自動給紙するため、シート自動搬送装置の一例である原稿処理装置（ＡＤＦ：Ａｕｔｏ  Ｄｏｃｕｍｅｎｔ  Ｆｅｅｄｅｒ）を開閉自在に備えたものがある。
【０００３】
この原稿処理装置を備えた画像読み取り装置の読み取り方法の１つに、原稿処理装置により自動給紙された原稿に対して、原稿処理装置の下方に設けられた読み取り装置をモータにより設定位置に移動して停止させた後、所定速度で搬送される原稿に対しランプユニットから光を出射して走査を行ない、その反射光を読み取り装置により検出することで画像を読み取る方法がある（以下、流し読みという）。
【０００４】
この従来の流し読み技術には、流し読みガラス上の所定の読み取り位置に原稿を接触させずに搬送する手段を施したものがある。その一例としては、流し読みガラスに段差を設けて原稿を浮かせて搬送する方法や（例えば、特許文献１参照）、原稿台ガラスに微小間隔のスリットを形成して読み取りを行う方法がある（例えば、特許文献２参照）。
【０００５】
以下、図６、図７により従来の流し読みガラス上の所定の読み取り位置に原稿を接触させずに搬送する手段について説明する。
【０００６】
まず、特許文献１を参考に、図６について説明する。図６に示す原稿読み取り装置は、読み取りガラス１上に段差形成部材２ａを配設すると共に、これら読み取りガラス１及び段差形成部材２ａと対向させて且つ離間させて平板形状のプレート３を配設した構成である。なお、図面内のＰは原稿用紙を示し、Ｒは原稿用紙による反射光の反射方向、すなわち読み取り位置を示す。
【０００７】
また、平板形状のプレートは、読み取りガラスに対向して配置されて原稿用紙を透過した照射光を反射することができるものであればよく、例えば、上記読み取りガラスに対向して配置された白色ローラでも良い。
【０００８】
次に、特許文献２を参考に、図７について説明する。図７は、従来例に係るバックアップローラ１１４および原稿台１１１の読み取り部分を拡大して示した説明図である。図に示すように、バックアップローラ１１４と原稿台１１１とのなす最狭部分、すなわち、読み取り位置となる部分に対し、主走査方向に１〜３ｍｍ幅のスリット穴１１１ａを形成している。
【０００９】
また、スリット穴１１１ａの下流側の上部の角は、原稿１０１の搬送性をよくするため、面取りされている（Ｃ面）。すなわち、原稿１０１の先端の一部がやや落ち込んで搬送されても、すくい上げられるようになっている。
【００１０】
さらに、図７における、Ａ、Ｂ、Ｃ面については表面を磨いて透明にしてある。これにより、ランプ１１３の照明光が透過し読み取り部分に十分な光量を供給することができる。
【００１１】
以上、特許文献１及び２を用いて説明したように、原稿の照明光と反射光を透過させるため、読み取り部は読み取りガラスまたはスリットで形成されている。
【特許文献１】特開平９−３０７６９５号公報（第７頁、図３）
【特許文献２】特開平９−０９３４０５号公報（第７頁、図１）
【発明の開示】
【発明が解決しようとする課題】
【００１２】
しかしながら、従来の流し読みガラス上の所定の読み取り位置に原稿を接触させずに搬送する手段を有した画像読み取り装置には以下のような欠点があった。
【００１３】
まず、特許文献１に示すように、ガラスに段差形成部材を設ける方法では、読み取り位置上での原稿のばたつきを完全に防止することができないため、特にカラーＣＣＤを用いた画像読み取り装置のように読み取り精度を求められる装置では、搬送のばらつきによる画像劣化が懸念される。
【００１４】
また、読み取りガラスと原稿との隙間を大きく設定できないため、半乾きの修正液やボールペンのインクが大量に原稿に付着していると、読み取りガラス面に接触して読み取りガラスを汚してしまい、スジ画像として読み取られてしまう。
【００１５】
また、特許文献２に示すように、ガラスにスリット穴を形成する方法では、常に読み取り装置に穴が空いている状態なので、ユーザーがまちがえて原稿にステイプルやクリップ等がついた状態で搬送すると、読み取り装置内へステイプルの針やクリップ等の異物が落下してしまうことが懸念される。
【００１６】
また、折れ紙やカール紙などの特殊形状用紙に対する搬送性も低下し、万一スリットに引っかかった場合は、読み取り装置内部に原稿が入り込んでしまい、ユーザーが原稿を取り除くことは非常に困難である。
【００１７】
本発明は、以上の点に着目して成されたもので、搬送のばらつきによる画像劣化や、半乾きの修正液やボールペンのインクよるスジ画像の発生や、読み取り装置内へステイプルの針やクリップ等の異物の落下を防止する画像読み取り装置を提供することを目的とする。
【課題を解決するための手段】
【００１８】
本発明では以上の問題を解決するために、次のような構成をとっている。
【００１９】
シートを所定の読み取り位置へと搬送する搬送ローラと、所定の読み取り位置までシートをガイドする第１のガイド部材と、所定の読み取り位置を通過したシートをガイドする第２のガイド部材を有し、第１ガイド部材と第２ガイド部材を、所定の読み取り位置上の主走査方向に対し、所定幅のスリットを形成するように設けた原稿搬送装置と、所定の位置へ搬送されたシートの画像を搬送中に読み取る流し読み取り部と、流し読み取り部と退避部間を移動可能な画像読み取りユニットを有する画像読み取り装置において、読み取りユニットと原稿搬送装置の間にシャッターを設け、シャッターの一部を透明部材で形成し、画像読み取りユニットの移動に連動しシャッターが移動するように構成し、画像読み取りユニットの流し読み取り部への移動時には、流し読み取り部にシャッターの透明部が移動し、画像読み取りユニットの退避部への移動時には、流し読み取り部へシャッターの透明部以外が移動することを特徴とする構成。
【００２０】
白色基準板によるシェーディング補正を行う画像読み取り校正部と原稿台ガラス上に固定された原稿を該画像読み取りユニットの移動により画像読み取りを行う固定読み取り部を該退避部に設け、画像読み取りユニットの校正部への移動に伴い、シャッターの透明部も校正部へ移動することを特徴とする構成。
【００２１】
また、シャッターを原稿台ガラス方向に付勢する付勢手段と、シャッターに設けられた突起部と、読み取りユニットに設けられた爪部とから構成され、画像読み取りユニットが流し読み取り部に移動したとき、突起部と爪部が係合し、シャッターを原稿台ガラスとは反対方向に押し込むことでシャッターが移動し、流し読み取り部にシャッターの透明部が移動し、画像読み取りユニットが退避部に移動したとき、突起部と爪部が離れてシャッターは付勢部材により原稿台ガラス方向へ押され、流し読み取り部へシャッターの透明部以外が移動することを特徴とする構成。
【００２２】
また、流し読み取り部と固定読み取り部の間に清掃具を設け、シャッターの移動に伴い透明部材を清掃できるよう清掃具を配置したことを特徴とする構成。
【００２３】
また、流し読み取り部の端部に磁束発生手段を設け、シャッターの移動に伴い磁性体を回収する磁性体回収手段を配置したことを特徴とする構成。
【発明の効果】
【００２４】
本発明によれば、原稿が読み取りガラスに直接接触することが回避できるため、原稿上の半乾きの修正液や大量のボールペンインクなどの付着ゴミにより読み取りガラスが汚れることを防止し、スジ画像として読み取られてしまう画像不良の発生頻度を改善できる効果がある。
【発明を実施するための最良の形態】
【００２５】
以下本発明を実施するための最良の形態を、実施例により詳しく説明する。
【実施例１】
【００２６】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２７】
（装置の説明）
図１、２において、２は原稿処理装置、１５０は読み取り装置であるリーダ部、３００は画像形成装置を示す。
【００２８】
（画像形成装置の説明）
まず、図１を参照して画像形成装置の構成及び動作を説明する。画像形成装置は、図１に示すように、画像読み取り開始信号が入力されると、像担持体としての感光体ドラム３５１が帯電手段３５３により所定の電位になるように帯電される。一方、原稿を搬送しつつ読み取る原稿処理装置２において、原稿の画像読み取りが行なわれ、画像形成を行うための画像形成部３００に画像信号が送られる。
【００２９】
画像形成部３００においては、上記の画像信号を受けてＯＮ、ＯＦＦ発光されるＬＥＤやレーザー等の露光手段３５２により感光体ドラム３５１上に、原稿画像に対応した静電潜像を形成する。次にこの静電潜像を、トナー粒子を収容した現像手段としての現像器３５４にて現像し、感光体ドラム３５１上にトナー像を得る。
【００３０】
このようにして、感光体ドラム３５１上に形成されたトナー像は、転写装置３５７によって紙やＯＨＰシート等の記録媒体上に静電転写される。その後記録媒体は、静電分離されて定着器３５６へと搬送され、熱定着されて画像が出力される。
【００３１】
一方、トナー像転写後の感光体ドラム３５１の面は、クリーナ３５５によって転写残りトナー等の付着汚染物の除去、必要に応じて像露光の光メモリ（ゴースト）を除去する前露光手段３５８による露光を受けて繰り返し画像形成に使用される。
【００３２】
（原稿処理装置の説明）
図１において原稿自動給送装置２は、リーダ部１５０の上方に不図示のヒンジ機構９５、９６を介して原稿台ガラス３に対して開閉可能に設けられている。以下、原稿処理装置２の詳細を図に基づいて説明する。
【００３３】
図２において原稿トレイ４は、シート状の原稿Ｐを積載するためのものである。原稿トレイ４には一対の幅方向規制板が原稿の幅方向にスライド自在に配置されている。幅方向規制板によって原稿トレイ４に積載される原稿Ｐの幅方向を規制することで給送時の搬送安定性を確保できる。
【００３４】
原稿トレイ４の上方には、給紙ローラ５が設けられている。給紙ローラ５は分離搬送ローラ８の回転駆動に連れて回転し、シート原稿を給紙する。
【００３５】
給紙ローラ５は通常、ホームポジションである上方（図中実線位置）に待避している位置をとり、原稿セット作業を阻害しないようにしている。給紙動作が開始されると図中点線位置に下降して原稿Ｐの上面に当接する。給紙ローラ５は図示しないアームにて軸支されるので、アームを揺動して給紙ローラ５を上下に動かせる。
【００３６】
分離パッド６は分離搬送ローラ８の対向側に配置され、分離搬送ローラ８側に圧を加えている。分離パッド６は分離搬送ローラ８より摩擦が若干小さいゴム材料などで形成され、給紙ローラ５にて給紙される原稿Ｐを一枚毎にさばき、分離搬送ローラ８で給紙する。
【００３７】
レジストローラ１２、レジスト従動ローラ１１は分離部にて給紙された原稿の先端をそろえるレジスト手段であり、静止したレジストローラ対１１、１２のニップ部に向けて分離した原稿先端を突き当て、原稿にループを生じさせて先端をそろえている。
【００３８】
次にリードローラ２２、リード従動ローラ１４により上流搬送ガイド２５に沿って原稿Ｐを搬送していく。このとき上流搬送ガイド２５と下流搬送ガイド２６により所定幅のスリットが形成される。このスリットの位置に第１光学台１５９が固定され、原稿Ｐの画像読み取りを行う。スリットを通過した原稿は、下流搬送ガイド２６によりすくい上げられ、リード排出ローラ２３、リード排出従動ローラ１６により搬送される。
【００３９】
画像読み取りが終了すると、排紙ローラ１８により原稿を排紙トレイ１０に排出する。
【００４０】
両面モード時には、排紙ローラ１８にて排出せずスイッチバックして、上方の紙パスに案内してレジストローラ１１、１２に向けて搬送する。レジストローラ１１、１２に到達すると上記と同様に原稿の裏面の読み取りが行なわれる。
【００４１】
（画像読み取り装置）
図２においてリーダ１５０は、原稿面に対して光を照射するランプ１５２、ランプ１５２にて照射された光に対応する原稿Ｐからの反射光を、レンズ１５７、およびＣＣＤ１５８に導くミラー１５３、１５５、１５６を有している。ランプ１５２とミラー１５３は、第１光学台１５９に取り付けられ、ミラー１５５、１５６は、第２光学台１５１に取り付けられている。
【００４２】
また、光学台１５９、１５１は、図示しないワイヤ１５４によって、不図示のモータ１７１と結合され、モータ１７１の回転駆動により原稿台ガラス３と平行に移動制御される。
【００４３】
ポジションセンサ１７３は、第１光学台１５９のホームポジション位置を検知するためのセンサであり、ポジションセンサ１７３の位置を基準としてモータ１７１を正転、逆転することにより、光学台１５９、１５１を移動し、原稿台ガラス３上の原稿を光学的に走査する。また、ホームポジション位置の原稿面高さと同位置に白色基準板１５４が配置され、シェーディング補正が可能なように構成されている。さらに、流し読み取り位置にはシャッター１６１が配置され、光学台の移動に連動してスライドする。
【００４４】
また、モータ１７１は、ステッピングモータにより構成されている。このモータ１７１には、エンコーダ１７５（図３参照）が接続されており、このエンコーダ１７５の出力により、光学台１５９、１５１が何パルス分移動したかを認識できるようになっている。すなわち、ポジションセンサ１７３とエンコーダ１７５からのエンコーダーパルスにより、光学台１５９、１５１の位置を把握することが可能である。
【００４５】
原稿からの反射光は、ミラー１５３、１５５、１５６を介してレンズ１５７に導かれ、レンズ１５７によってＣＣＤ１５８上に集光される。ＣＣＤ１５８は、原稿情報を反映した上記反射光を光電変換し、電子的な画像信号として出力する。
【００４６】
このような構成下で、第１光学台１５９を読み取り位置１６０に停止させた状態で、原稿処理装置２により原稿を搬送させながら原稿情報を読み取る流し読みと、原稿を原稿台ガラス３上に固定的に載置して、光学台１５９、１５１を副走査方向に移動させながら原稿情報を読み取る読み取り方法（以下固定読みとする）の２つのモードで原稿情報を読み取ることができる。
【００４７】
（制御系の説明）
図３は、画像読み取り装置の制御系の概略構成を示すブロック図である。
【００４８】
原稿面に光を照射するランプ１５２、光学台１５９、１５１を副走査方法に移動し原稿を走査するモータ１７１、原稿面からの反射光を光電変換するＣＣＤ１５８、ＣＣＤ１５８の出力信号をＡ／Ｄ変換するＡ／Ｄ変換回路１７４、モータ１７１に接続されたエンコーダ１７５、原稿に光を照射するためのランプ１５２、光学台１５９をホームポジションに位置決めするためのポジションセンサ１７３、ＡＤＦ原稿読み取りモードにおける正規の原稿読み取り位置を設定するためのバックアップＲＡＭ１７２、およびスキャナコントローラ１７６を有している。
【００４９】
（シャッター構成の説明）
次に、図４を用いてシャッター構成を説明する。
【００５０】
１６１はシャッターであり、非透明部ａ、透明部ｂ、突起部ｃで構成されている。これは、黒色ＡＢＳ材による非透明部および突起部と、透明ＡＢＳ材による透明部が２色成形法により一体モールドシャッター化されている。
【００５１】
シャッター１６１はシャッターガイド１６２によりスライド可能なように支持され、シャッターバネ１６３により装置水平右方向に押圧されている。
【００５２】
これにより、光学台１５９が流し読み取り位置に移動した場合に、シャッター１６１の突起部ｃが光学台１５９の爪部ｄと係合しスライドが規制される。この状態でにおいては、読み取り位置にシャッター１６１の透明部ｂがスライドする寸法関係に構成されている。
【００５３】
また、光学台１５９がホームポジションに移動した場合に、シャッター１６１の突起部ｃはシャッター規制部材１６６と係合しスライドが規制される。この状態でにおいては、読み取り位置にシャッター１６１の非透明部ａがスライドする寸法関係に構成されている。
【００５４】
また、シャッター１６１の表面に当接するように、読み取り位置右のリーダ部筐体に清掃具１６４が配置されている。清掃具１６４は弾性シールの表面に不織布を張り合わせたものであり、弾性シールの弾性力によりシャッター１６１表面に軽く当接し、シャッターの移動により清掃を行うように構成されている。
【００５５】
さらに、シャッター１６１の表面に近接するように、読み取り位置左のリーダ部筐体に磁性体回収手段１６５が配置されている。磁性体回収手段１６５にはマグネットゴムが用いられ主走査方向に最大画像領域までマグネットゴムが貼られている。
【００５６】
（シャッター機構の動作説明）
次に、図５を用いてシャッター機構の動作を詳しく説明する。
【００５７】
（１）のステップは、本画像読み取り装置のスタンバイ状態を示し、光学台１５９がホームポジション位置で待機している。この場合、シャッター１６１の非透明部ａが読み取り位置に移動した状態であり、読み取り部の遮光と異物の遮蔽を行う。また、シャッター１６１の透明部ｂはシェーディング部に移動した状態であり、透明部材の分光特性もシェーディング補正される。
【００５８】
（２）のステップは、本画像読み取り装置の流し読み取り位置への移動状態を示し、光学台１５９が流し読み取り位置へ移動している。この場合、シャッター１６１の透明部ｂが清掃具１６４で清掃されながら読み取り位置に移動する。また、シャッター１６１の非透明部ａは磁性体異物を磁性体回収手段１６５に回収しながら移動する。
【００５９】
（３）のステップは、本画像読み取り装置の流し読み取り開始状態を示し、光学台１５９が流し読み取り位置で流し読みを開始している。この場合、原稿処理装置によって読み取り位置へ原稿が搬送され、リードセンサ１３によって原稿先端が検知すると画像読み取りが開始される。
【００６０】
（４）のステップは、本画像読み取り装置の流し読み取り待機状態を示し、光学台１５９が流し読み取り位置で待機している。この場合、原稿処理装置によって読み取り位置から原稿が搬送され、リードセンサ１３によって原稿先端が検知されて原稿サイズに応じた任意の時間が経過した後に画像読み取りが終了される。
【００６１】
（５）のステップは、本画像読み取り装置の流し読み取り終了状態を示し、光学台１５９が流し読み取り位置からホームポジションへ移動している。この場合、シャッター１６１の透明部ｂに浮遊したゴミを清掃具１６４で清掃しながらシェーディング部に移動する。また、磁性体回収手段１６５に回収された磁性体異物は磁力に保持されたままシャッター１６１の非透明部ａが読み取り位置に移動し、シャッター１６１の透明部ｂがシェーディング部に移動する。
【００６２】
以降、（１）の状態となり一連の動作を終了する。
【図面の簡単な説明】
【００６３】
【図１】本実施形態に係る画像形成装置の構成を説明する図
【図２】本実施形態に係る画像読み取り装置の構成を説明する図
【図３】本実施形態に係る画像読み取り装置の制御ブロック図
【図４】本実施形態に係るシャッター構成を説明する図
【図５】本実施形態に係るシャッター機構の動作を説明する図
【図６】従来技術に係る画像読み取り装置を説明する特許文献１の図
【図７】従来技術に係る画像読み取り装置を説明する特許文献２の図
【符号の説明】
【００６４】
２  原稿自動給送装置（原稿処理装置）
３  原稿台ガラス
４  原稿トレイ
５  給紙ローラ
６  分離パッド
８  分離搬送ローラ
１１  レジスト従動ローラ
１２  レジストローラ
１４  リード従動ローラ
１６  リード排出従動ローラ
２２  リードローラ
２３  リード排出ローラ
１５０  リーダ部
１５１  光学台
１５９  光学台
１６１  シャッター
１６２  シャッターガイド
１６３  シャッターバネ
１６４  清掃具
１６５  磁性体回収手段
１６６  シャッター規制部材
【図１】
2006140577.tif 000003
【図２】
2006140577.tif 000004
【図３】
2006140577.tif 000005
【図４】
2006140577.tif 000006
【図５】
2006140577.tif 000007
【図６】
2006140577.tif 000008
【図７】
2006140577.tif 000009